(57)【要約】【課題】  襟刳りのサイズが異なる衣服であっても、襟刳り部を簡単な作業で挟着することができ、また、洗濯した衣服を干す場合であっても、襟刳り部が伸びる不具合を防止することができる衣服用ハンガー及び衣服挟着具を提供すること。【解決手段】  衣服用ハンガー１の左右一対の肩フレーム部３に、それぞれ衣服挟着具10が肩フレーム部３の軸方向に摺動自在に取り付けられている。衣服挟着具10は、ハンガー１に掛けられた衣服20の襟刳り部21を肩フレーム部３との間で挟着する挟着片部11を備えている。【選択図】      図１
2005168738.tif 000002
【特許請求の範囲】
【請求項１】
左右一対の肩フレーム部のうち少なくとも一方の肩フレーム部（３）に、ハンガー（１）に掛けられた衣服（20）の襟刳り部（21）を前記肩フレーム部（３）との間で挟着する挟着片部（11）を備えた衣服挟着具（10）が、前記肩フレーム部（３）の軸方向に摺動自在に取り付けられていることを特徴とする衣服用ハンガー。
【請求項２】
前記衣服挟着具（10）は、前記肩フレーム部（３）にその軸線を中心に回転自在に取り付けられている請求項１記載の衣服用ハンガー。
【請求項３】
前記衣服挟着具（10）は、前記肩フレーム部（３）に取外し自在に取り付けられている請求項１又は２記載の衣服用ハンガー。
【請求項４】
前記衣服挟着具（10）の挟着片部（11）は、弾性材料から形成されており、ハンガー（１）に掛けられた衣服（20）の襟刳り部（21）を前記肩フレーム部（３）との間で自己の弾性復元力により挟着するものとなされている請求項１〜３のいずれか１項記載の衣服用ハンガー。
【請求項５】
ハンガー（１）の肩フレーム部（３）にその軸方向に摺動自在に取り付けられる取付け部（12）と、
前記取付け部（12）から前記肩フレーム部（３）の軸方向に延設された挟着片部（11）とを備え、
前記挟着片部（11）は、前記肩フレーム部（３）に前記取付け部（12）が取り付けられた状態のもとで、ハンガー（１）に掛けられた衣服（20）の襟刳り部（21）を前記肩フレーム部（３）との間で挟着するものとなされていることを特徴とする衣服用ハンガーの衣服挟着具。
【請求項６】
前記取付け部（12）は、前記肩フレーム部（３）にその軸線（Ｐ）を中心に回転自在に取り付けられるものとなされている請求項５記載の衣服用ハンガーの衣服挟着具。
【請求項７】
前記取付け部（12）は、前記肩フレーム部（３）に取外し自在に取り付けられるものとなされている請求項５又は６記載の衣服用ハンガーの衣服挟着具。
【請求項８】
前記挟着片部（11）は、弾性材料から形成されており、ハンガー（１）に掛けられた衣服（20）の襟刳り部（21）を前記肩フレーム部（３）との間で自己の弾性復元力により挟着するものとなされている請求項５〜７のいずれか１項記載の衣服用ハンガーの衣服挟着具。
【発明の詳細な説明】
【技術分野】
【０００１】
この発明は、洗濯物を干す際などに用いられる衣服用ハンガー及び衣服用ハンガーの衣服挟着具に関する。
【背景技術】
【０００２】
衣服をハンガーに掛けてタンス等に収納する場合、衣服がハンガーから滑り落ちてしまうことがある。このような不具合を解決するために、ハンガーの肩フレーム部に衣服の襟刳り（えりぐり）部を挟着するクリップが取り付けられたものが公知である（例えば特許文献１参照。）。
【０００３】
ところで、衣服には襟刳りが大きいものや小さいもの等の様々な種類があることから、ハンガーの肩フレーム部に取り付けられたクリップの位置が固定されているものでは、襟刳り部をクリップで挟着することができない場合があった。
【０００４】
そこで、上述した公知のハンガーでは、襟刳りのサイズが異なる衣服でも挟着することができるように、ハンガーの肩フレーム部には複数個のクリップ取付け孔が軸方向に間隔をおいて配設されている。そして、これら複数個のクリップ取付け孔のなかから衣服の襟刳りのサイズに対応した取付け孔を選択し、この選択した取付け孔にクリップを取り付けることにより、クリップの位置を変更し得るものとなされている。
【特許文献１】実開昭６３−７１７７７号公報（請求項１、第３−４図）
【発明の開示】
【発明が解決しようとする課題】
【０００５】
しかしながら、上述した公知のハンガーによれば、クリップの位置を変更するために、わざわざクリップの取外し作業及び取付け作業を行わなければならず、面倒な作業が強いられていた。
【０００６】
また、衣服をハンガーに掛けてタンス等に収納する場合ではなく、洗濯した衣服をハンガーに掛けて干す場合であっても、衣服が風を受けてハンガーの肩フレーム部を滑って片寄ったり、更にはハンガーから滑り落ちたりすることあり、また、洗濯した衣服は水を含んで重くなっているのでその重さで衣服が下に引っ張られて襟刳り部が伸びてしまうという難点があった。
【０００７】
この発明は上述した技術背景に鑑みてなされたもので、その目的は、襟刳りのサイズが異なる衣服であっても、襟刳り部を簡単な作業で挟着することができ、また、洗濯した衣服を干す場合であっても、襟刳り部が伸びる不具合を防止することができる衣服用ハンガー及びこれに用いられる衣服挟着具を提供することにある。
【課題を解決するための手段】
【０００８】
上記目的を達成するため、この発明に係る衣服用ハンガーは、左右一対の肩フレーム部のうち少なくとも一方の肩フレーム部に、ハンガーに掛けられた衣服の襟刳り部を前記肩フレーム部との間で挟着する挟着片部を備えた衣服挟着具が、前記肩フレーム部の軸方向に摺動自在に取り付けられていることを特徴としている。
【０００９】
上記ハンガーにおいて、前記衣服挟着具は、前記肩フレーム部にその軸線を中心に回転自在に取り付けられていることが望ましい。
【００１０】
上記ハンガーにおいて、前記衣服挟着具は、前記肩フレーム部に取外し自在に取り付けられていることが望ましい。
【００１１】
上記ハンガーにおいて、前記衣服挟着具の挟着片部は、弾性材料から形成されており、ハンガーに掛けられた衣服の襟刳り部を前記肩フレーム部との間で自己の弾性復元力により挟着するものとなされていることが望ましい。
【００１２】
この発明に係る衣服用ハンガーの衣服挟着具は、ハンガーの肩フレーム部にその軸方向に摺動自在に取り付けられる取付け部と、前記取付け部から前記肩フレーム部の軸方向に延設された挟着片部とを備え、前記挟着片部は、前記肩フレーム部に前記取付け部が取り付けられた状態のもとで、ハンガーに掛けられた衣服の襟刳り部を前記肩フレーム部との間で挟着するものとなされていることを特徴としている。
【００１３】
上記衣服挟着具において、前記取付け部は、前記肩フレーム部にその軸線を中心に回転自在に取り付けられるものとなされていることが望ましい。
【００１４】
上記衣服挟着具において、前記取付け部は、前記肩フレーム部に取外し自在に取り付けられるものとなされていることが望ましい。
【００１５】
上記衣服挟着具において、前記挟着片部は、弾性材料から形成されており、ハンガーに掛けられた衣服の襟刳り部を前記肩フレーム部との間で自己の弾性復元力により挟着するものとなされていることが望ましい。
【発明の効果】
【００１６】
この発明は以下の効果を奏する。
【００１７】
この発明に係る衣服用ハンガーによれば、肩フレーム部に所定の衣服挟着具が肩フレーム部の軸方向に摺動自在に取り付けられていることから、衣服挟着具を肩フレーム部の軸方向に摺動させることにより、衣服挟着具の位置を変更することができる。そのため、衣服挟着部の位置変更作業を容易に行うことができる。
【００１８】
また、襟刳りのサイズが異なる衣服をハンガーに掛ける場合には、襟刳りのサイズに対応して衣服挟着具の位置を変更することにより、襟刳り部を確実に挟着することができる。
【００１９】
また、洗濯した衣服をこのハンガーに掛けて干す場合には、衣服の襟刳り部を衣服挟着具で挟着することにより、襟刳り部が伸びる不具合を防止することができる。
【００２０】
上記ハンガーにおいて、前記衣服挟着具は、前記肩フレーム部にその軸線を中心に回転自在に取り付けられている場合には、次の効果を奏する。
【００２１】
すなわち、衣服をハンガーに掛ける際に、予め衣服挟着具を肩フレーム部の軸線を中心に約１８０°回転させて肩フレーム部の上側の位置から下側の位置へと移動させておくことにより、衣服挟着具が衣服掛け作業の邪魔になる不具合を防止することができ、もって衣服掛け作業を容易に行うことができる。また同じく、ハンガーに掛けようとする衣服が襟付きのものであるなど、襟刳り部を衣服挟着具で挟着する必要がない衣服をハンガーに掛ける場合にも、予め衣服挟着具を上述のように回転移動させておくことにより、衣服挟着具が衣服掛け作業の邪魔になる不具合を防止することができ、もって衣服掛け作業を容易に行うことができる。
【００２２】
上記ハンガーにおいて、衣服挟着具は、肩フレーム部に取外し自在に取り付けられている場合には、次の効果を奏する。
【００２３】
すなわち、衣服をハンガーに掛ける際に、予め衣服挟着具を肩フレーム部から取り外しておくことにより、衣服挟着具が衣服掛け作業の邪魔になる不具合を確実に防止することができて、衣服掛け作業を更に容易に行うことができる。また、衣服挟着具が必要な場合には、これを肩フレーム部に取り付けることができるし、不必要な場合には、これを肩フレーム部から取り外すことができる。
【００２４】
上記ハンガーにおいて、衣服挟着具の挟着片部は、弾性材料から形成されており、ハンガーに掛けられた衣服の襟刳り部を肩フレーム部との間で自己の弾性復元力により挟着するものとなされている場合には、次の効果を奏する。
【００２５】
すなわち、衣服挟着具の構造を簡素化することができ、そのため、衣服挟着具の製造コストを引き下げることができる。
【００２６】
この発明に係る衣服用ハンガーの衣服挟着具によれば、これを衣服用ハンガーに取り付けることにより、この発明に係る上記ハンガーと同様の効果を奏する。
【発明を実施するための最良の形態】
【００２７】
次に、この発明の好ましい一実施形態について図面を参照して説明する。
【００２８】
図１において、（１）は、この発明の一実施形態に係る衣服用ハンガーである。このハンガー（１）は、洗濯した衣服（20）を干す際に用いられるもの、すなわち洗濯物用のものである。
【００２９】
このハンガー（１）は、フック等の吊り掛け具（２）と、該吊り掛け具（２）の下端部から左斜め下方向及び右斜め下方向に延びた左右一対の肩フレーム部（３）（３）と、該両肩フレーム部（３）（３）の先端（下端）同士を連結した連結フレーム部（４）とを有する。
【００３０】
吊り掛け具（２）、肩フレーム部（３）及び連結フレーム部（４）はいずれもプラスチック製であり、また肩フレーム部（３）と連結フレーム部（４）とは一体に形成されている。また、肩フレーム部（３）は断面円形状に形成されている（図４参照。）。
【００３１】
さらに、このハンガー（１）の左右両肩フレーム部（３）（３）には、それぞれ衣服挟着具（10）が取り付けられている。
【００３２】
この衣服挟着具（10）は、取付け部（12）と挟着片部（11）とを備える。取付け部（12）と挟着片部（11）とは弾性材料から一体に形成されたものであり、本実施形態では、弾性を有するプラスチック製のものである。
【００３３】
この衣服挟着具（10）において、取付け部（12）は肩フレーム部（３）に取外し自在に取り付けられるものであり、図３及び図４に示すように、台座部（13）と、該台座部（13）に一体に設けられた断面略Ｃ字状の抱持片部（14）とを有する。なお、本実施形態では、抱持片部（14）は３個に分割されて形成されている。
【００３４】
この取付け部（12）では、図５に示すように抱持片部（14）の開口部（14a）から肩フレーム部（３）が抱持片部（14）の内側に強制的に若干きつく嵌め込まれて肩フレーム部（３）が抱持片部（14）に抱持されることにより、図３に示すように取付け部（12）が肩フレーム部（３）にその軸方向に摺動自在に且つその軸線（Ｐ）を中心に回転自在に取り付けられている。一方、この取付け部（12）を肩フレーム部（３）から取り外す場合には、抱持片部（14）の内側に嵌め込まれた肩フレーム部（３）を、抱持片部（14）の開口部（14a）を強制的に通過させて取り出す。これにより、取付け部（12）が肩フレーム部（３）から取り外される。
【００３５】
挟着片部（11）は、図２に示すように、肩フレーム部（３）に取付け部（12）が取り付けられた状態のもとで、ハンガー（１）に掛けられた衣服（20）の襟刳り部（その近傍を含む。）（21）を肩フレーム部（３）との間で挟着するものである。この挟着片部（11）は、図２及び図３に示すように、取付け部（12）の台座部（13）から肩フレーム部（３）の軸方向に延設されている。挟着片部（11）の先端部は肩フレーム部（３）に圧接又は近接して配置されており、また挟着片部（11）の中間部は肩フレーム部（３）に対して上側に離間して配置されている。さらに、挟着片部（11）の先端部から中間部までの部位の上面は、該挟着片部（11）の先端部から中間部へと進む方向において、肩フレーム部（３）の軸方向に対して略斜め上方に傾斜している。
【００３６】
次に、このハンガー（１）の使用方法を説明する。
【００３７】
まず、図１に示すように、洗濯したＴシャツ等の衣服（20）の首孔にハンガー（１）の吊り掛け具（２）を上方突出状に通したのち、吊り掛け具（２）を物干し竿（25）や洗濯ロープ等に掛ける。本実施形態のハンガー（１）によれば、衣服（20）の首孔に吊り掛け具（２）を通す際において、上述したように、衣服挟着具（10）の挟着片部（11）の先端部から中間部までの部位の上面は、該挟着片部（11）の先端部から中間部へと進む方向において、肩フレーム部（３）の軸方向に対して略斜め上方に傾斜しているので、吊り掛け具（２）の首孔への通し作業を容易に行うことができる。
【００３８】
次いで、図２に示すように、肩フレーム部（３）に取り付けられた衣服挟着具（10）の挟着片部（11）を肩フレーム部（３）の上側に位置させた状態で、衣服（20）の襟刳り部（21）を肩フレーム部（３）と挟着片部（11）との間に強制的に差し込む。このとき、襟刳り部（21）を手で掴んでこれを肩フレーム部（３）の基端（上端）側へ移動させることによって襟刳り部（21）を肩フレーム部（３）と挟着片部（11）との間に差し込んでも良いし、あるいは衣服挟着具（10）を手で掴んでこれを肩フレーム部（３）の先端（下端）側へ摺動させることによって襟刳り部（21）を肩フレーム部（３）と挟着片部（11）との間に差し込んでも良い。
【００３９】
こうして襟刳り部（21）が差し込まれることにより、挟着片部（11）が僅かに変形し、該挟着片部（11）に弾性復元力が蓄積される。挟着片部（11）はこの弾性復元力によって襟刳り部（21）を肩フレーム部（３）との間で挟着する。
【００４０】
衣服（20）をハンガー（１）から取り外す場合には、衣服（20）の襟刳り部（21）を肩フレーム部（３）と挟着片部（11）との間から強制的に引き抜く。このとき、襟刳り部（21）を手で掴んでこれを肩フレーム部（２）の先端（下端）側へ移動させることによって襟刳り部（21）を肩フレーム部（３）と挟着片部（11）との間から引き抜いても良いし、あるいは衣服挟着具（10）を手で掴んでこれを肩フレーム部（３）の基端（上端）側へ摺動させることによって襟刳り部（21）を肩フレーム部（３）と挟着片部（11）との間から引き抜いても良い。
【００４１】
こうして襟刳り部（21）を引く抜くことにより、衣服挟着具（10）の挟着片部（11）が元の形状に戻る。次いで、衣服（20）をハンガー（１）から取り外す。
【００４２】
このハンガー（１）に襟刳りのサイズが大きい衣服（20'）を掛けた場合には、図６に示すように、衣服挟着具（10）を肩フレーム部（10）の先端（下端）側へ摺動させることにより、該衣服挟着具（10）の位置を変更する。そして、襟刳り部（21）を肩フレーム部（３）と挟着片部（11）との間に差し込むことにより、襟刳り部（21）を挟着片部（11）で挟着する。
【００４３】
以上のように、このハンガー（１）によれば、衣服挟着具（10）を肩フレーム部（３）の先端（下端）側又は基端（上端）側に摺動させる、即ち衣服挟着具（10）を肩フレーム部（３）の軸方向に摺動させることにより、衣服挟着具（10）の位置を変更することができるので、衣服挟着具（10）の位置変更作業を容易に行うことができる。
【００４４】
さらに、襟刳りのサイズが異なる衣服（20）をハンガー（１）に掛ける場合には、襟刳りのサイズに対応して衣服挟着具（10）の位置を変更することにより、襟刳り部（21）を確実に挟着することができる。
【００４５】
また、洗濯した衣服（20）をこのハンガー（１）に掛けて干す場合には、衣服（20）の襟刳り部（21）を衣服挟着具（10）で挟着することにより、襟刳り部（21）が伸びる不具合を防止することができる。
【００４６】
また、このハンガー（１）によれば、図７に示すように、衣服（20''）をハンガー（１）に掛ける際に、予め衣服挟着具（10）を肩フレーム部（３）の軸線（Ｐ）を中心に約１８０°回転させて該衣服挟着具（10）を肩フレーム部（３）の上側の位置から下側の位置へと移動させておくことにより、衣服挟着具（10）が衣服掛け作業の邪魔にならなくなる。そのため、衣服掛け作業を容易に行うことができる。
【００４７】
その上、同図に鎖線で示すように、ハンガー（１）に掛けようとする衣服（20''）が襟（22）付きのものである場合にも、衣服挟着具（10）を上述のように回転移動させておくことにより、衣服挟着具（10）が衣服掛け作業の邪魔になる不具合を防止することができ、もって、衣服掛け作業を容易に行うことができる。
【００４８】
さらに、このハンガー（１）によれば、衣服挟着具（10）は肩フレーム部（３）に取外し自在に取り付けられているので、衣服（20）をハンガー（１）に掛ける際に、予め衣服挟着具（10）を肩フレーム部（３）から取り外しておくことにより、衣服挟着具（10）が衣服掛け作業の邪魔になる不具合を確実に防止することができて、衣服掛け作業を更に容易に行うことができる。また、衣服挟着具（10）が必要な場合には、これを肩フレーム部（３）に取り付けることができるし、不必要な場合には、これを肩フレーム部（３）から取り外すことができる。
【００４９】
さらに、このハンガー（１）によれば、衣服挟着具（10）の挟着片部（11）は弾性材料から形成されているので、挟着片部（11）に襟切り部（21）を挟着するための挟着力を付与するバネ等の弾性部材を別途、取り付ける必要がない。そのため、衣服挟着具（11）の構造を簡素化することができ、その結果、衣服挟着具（10）の製造コスト、ひいてはハンガー（１）の製造コストを引き下げることができる。
【００５０】
以上で、この発明の一実施形態を説明したが、この発明は上記実施形態で示したものに限定されるものではなく、様々に設定変更可能である。
【００５１】
例えば、上記実施形態では、ハンガー（１）や衣服挟着具（10）は、洗濯した衣服（即ち洗濯物）を干す際に用いられるものであるが、この発明では、タンス等に収納する際に用いられるものであっても良い。
【００５２】
また、上記実施形態では、ハンガー（１）の衣服挟着具（10）は、左右一対の肩フレーム部（３）（３）にそれぞれ取り付けられているが、本発明では、左右一対の肩フレーム部（３）（３）のうちいずれか一方の肩フレーム部（３）にのみ取り付けられていても良い。
【００５３】
また、この発明に係るハンガーや衣服挟着具は、肩紐部を有する衣服（例えば女性用スリップやブラジャー）を掛ける際に用いても良い。この場合には、衣服挟着具の挟着片部で衣服の肩紐部を挟着するか又は挟着片部に係止することにより、肩紐部が肩フレーム部から滑り落ちるのを防止することができる。
【産業上の利用可能性】
【００５４】
この発明に係る衣服用ハンガー及び衣服挟着具は、洗濯した衣服を干す際などに好適に用いられるハンガー及び衣服挟着具として利用可能である。
【図面の簡単な説明】
【００５５】
【図１】この発明の一実施形態に係る衣服用ハンガーの正面図である。
【図２】同ハンガーの衣服挟着具により衣服の襟刳り部を挟着した状態における衣服挟着具の正面図である。
【図３】同ハンガーの衣服挟着具の斜視図である。
【図４】図３中のＸ−Ｘ線断面図である。
【図５】同ハンガーの衣服挟着具を肩フレーム部に取り付ける途中の状態を示す、図４に対応する断面図である。
【図６】同ハンガーの衣服挟着具の位置を変更した状態を示す正面図である。
【図７】同ハンガーの衣服挟着具を回転させた状態を示す正面図である。
【符号の説明】
【００５６】
１：衣服用ハンガー
３：肩フレーム部
10：衣服挟着具
11：挟着片部
12：取付け部
20：衣服
21：襟刳り部
【図１】
2005168738.tif 000003
【図２】
2005168738.tif 000004
【図３】
2005168738.tif 000005
【図４】
2005168738.tif 000006
【図５】
2005168738.tif 000007
【図６】
2005168738.tif 000008
【図７】
2005168738.tif 000009